(57)【特許請求の範囲】
【請求項１】
データが暗号化されている音楽コンテンツファイルと該音楽コンテンツファイルの暗号化データを復号化するために必要なライセンスファイルとを一対として、複数の音楽コンテンツの各々についてのコンテンツ／ライセンスファイルが記録されている記録媒体から、１つのコンテンツ／ライセンスファイルを読み出して、そのライセンスファイルを用いてその音楽コンテンツファイルのデータに復号化を施し、音楽コンテンツを再生するデジタルメモリプレーヤにおいて、
ファイル検索指令に応じて、記録媒体に記録されている複数のコンテンツ／ライセンスファイルを対象として、一対となる音楽コンテンツファイルとライセンスファイルの内、何れか一方のファイルが欠落し、或いは、少なくとも何れか一方のファイルのデータが破損しているコンテンツ／ライセンスファイルを検索するファイル検索手段と、
検索された１或いは複数のコンテンツ／ライセンスファイルについて、各コンテンツ／ライセンスファイルのファイル情報を含むリストを作成するリスト作成手段と、
作成されたリストを表示するリスト表示手段と、
リスト表示手段に表示されているリストから１或いは複数のコンテンツ／ライセンスファイルを選択するユーザの操作に応じて、選択された１或いは複数のコンテンツ／ライセンスファイルを前記記録媒体から消去するファイル消去手段
とを具えていることを特徴とするデジタルメモリプレーヤ。
【請求項２】
データが暗号化されている音楽コンテンツファイルと該音楽コンテンツファイルの暗号化データを復号化するために必要なライセンスファイルとを一対として、複数の音楽コンテンツの各々についてのコンテンツ／ライセンスファイルが記録されている記録媒体から、１つのコンテンツ／ライセンスファイルを読み出して、そのライセンスファイルを用いてその音楽コンテンツファイルのデータに復号化を施し、音楽コンテンツを再生するデジタルメモリプレーヤにおいて、
ファイル検索指令に応じて、記録媒体に記録されている複数のコンテンツ／ライセンスファイルを対象として、一対となる音楽コンテンツファイルとライセンスファイルの内、何れか一方のファイルが欠落し、或いは、少なくとも何れか一方のファイルのデータが破損しているコンテンツ／ライセンスファイルを検索するファイル検索手段と、
検索された１或いは複数のコンテンツ／ライセンスファイルについて、各コンテンツ／ライセンスファイルのファイル情報を含むリストを作成するリスト作成手段と、
作成されたリストを表示するリスト表示手段と、
リスト表示手段に表示されているリストから１或いは複数のコンテンツ／ライセンスファイルを選択するユーザの操作に応じて、選択された１或いは複数のコンテンツ／ライセンスファイルを前記記録媒体から消去するファイル消去手段
とを具え、前記リスト作成手段によって作成されるリストには、前記各コンテンツ／ライセンスファイルについての音楽コンテンツファイルの有無に関する情報とライセンスファイルの有無に関する情報とが含まれていることを特徴とするデジタルメモリプレーヤ。
【請求項３】
更に、
外部装置からの音楽コンテンツファイルのダウンロードに応じ、該音楽コンテンツファイルを受信して、記録媒体に記録するファイル記録手段と、
音楽コンテンツファイルのダウンロードに際して、該音楽コンテンツファイルのデータ量に関する情報を外部装置から受信し、該情報に基づいて該音楽コンテンツファイルのデータ量を認識するデータ量認識手段と、
前記認識されたデータ量と記録媒体の空き容量とを比較するデータ量比較手段と、
前記認識されたデータ量が記録媒体の空き容量以下であると判断されたとき、ファイル記録手段に対して、外部装置からダウンロードされる音楽コンテンツファイルの受信及び記録を指令する記録指令手段と、
前記認識されたデータ量が記録媒体の空き容量よりも大きいと判断されたとき、ファイル検索手段に対して検索の実行を指令する検索指令手段と、
ファイル消去手段によって１或いは複数のコンテンツ／ライセンスファイルが消去された後に、データ量比較手段による比較動作を指令する比較指令手段
とを具えている請求項１又は請求項２に記載のデジタルメモリプレーヤ。
【発明の詳細な説明】
【０００１】
【発明の属する技術分野】
本発明は、記録媒体からデータを読み出して音楽コンテンツを再生することが出来るデジタルメモリプレーヤに関するものである。
【０００２】
【従来の技術】
従来、記録媒体としてマルチメディアカード(以下、ＭＭＣという)を用いるデジタルメモリプレーヤが知られている。
デジタルメモリプレーヤによって音楽コンテンツを再生することが可能なＭＭＣには、図５に示す如く、各音楽コンテンツについて、暗号化された楽曲データを含む音楽コンテンツファイル(51)と、該音楽コンテンツファイル(51)の暗号化データに復号化を施す際に必要となるライセンスファイル(61)とが、一対となって記録されている。以下、一対となる音楽コンテンツファイル(51)とライセンスファイル(61)をコンテンツ／ライセンスファイル(71)と総称する。尚、各音楽コンテンツファイル(51)には、楽曲名等のファイル情報が含まれている。
【０００３】
デジタルメモリプレーヤのメモリには、図６に示す如く各コンテンツ／ライセンスファイルについてのファイル番号と楽曲名からなるリストが作成されており、音楽コンテンツの再生においては、該リストから所望の音楽コンテンツを選択することが出来る。
即ち、ユーザの操作に応じて、リストに含まれている楽曲名がデジタルメモリプレーヤの液晶表示部に順次表示され、その中からユーザが所望の音楽コンテンツの楽曲名を選択すると、選択された楽曲名のファイル番号に基づいて、ＭＭＣから該当するコンテンツ／ライセンスファイル(音楽コンテンツファイル及びライセンスファイル)が読み出される。そして、読み出された音楽コンテンツファイルのデータに対し、読み出されたライセンスファイルのデータを用いた復号化が施され、これによって音楽コンテンツが再生される。
【０００４】
ＭＭＣから不要となったコンテンツ／ライセンスファイルを消去する方法としては、デジタルメモリプレーヤの液晶表示部に表示される楽曲名の中から不要な楽曲名を指定する方法と、デジタルメモリプレーヤにパーソナルコンピュータ(以下、ＰＣという)を接続して、ＰＣの画面に表示される楽曲名の中から不要な楽曲名を指定する方法とがある。
デジタルメモリプレーヤの液晶表示部の表示を利用する消去方法においては、ユーザの操作に応じて、図６に示すリストに含まれている楽曲名がデジタルメモリプレーヤの液晶表示部に順次表示され、その中からユーザが消去せんとする音楽コンテンツの楽曲名を選択すると、選択された楽曲名のファイル番号に基づいて、ＭＭＣから該当するコンテンツ／ライセンスファイルが消去される。
【０００５】
一方、デジタルメモリプレーヤに接続されたＰＣの画面の表示を利用する消去方法においては、閲覧用ソフトウエアの実行によって、ＭＭＣに記録されている全ての音楽コンテンツファイルとライセンスファイルがＰＣの画面に一覧表示され、その中からユーザが消去せんとするファイルを選択して消去操作を行なうことによって、選択されたファイルがＭＭＣから消去されることになる。
【０００６】
ところで、デジタルメモリプレーヤに接続されたＰＣを利用してファイルを消去する場合、図７に示す如く、ＭＭＣに格納されているコンテンツ／ライセンスファイル(71)のライセンスファイル(61)は残して音楽コンテンツファイル(51)のみを消去することがあり、この様な場合、残されたコンテンツ／ライセンスファイル(71)には、音楽コンテンツファイル(51)が存在しないので、音楽コンテンツを再生することが出来ない。
【０００７】
又、何らかの原因により、図８に示す如くＭＭＣに記録されているコンテンツ／ライセンスファイル(71)の音楽コンテンツファイル(51)とライセンスファイル(61)の両方若しくは一方のデータが一部で破損している場合がある。音楽コンテンツファイル(51)の楽曲データの一部が破損している場合は、音楽コンテンツを正常に再生することが出来ない。ライセンスファイル(61)のデータの一部が破損している場合は、音楽コンテンツファイル(51)の楽曲データに復号化を施すことが出来ないので、音楽コンテンツを再生することが出来ない。
【０００８】
又、音楽コンテンツの配信方式として、データが暗号化された音楽コンテンツファイルのダウンロードや、ユーザどうしでＭＭＣ間の音楽コンテンツファイルのコピーを可能とし、ライセンスファイルは所定の方法で購入する方式が知られている。該音楽コンテンツ配信方式においては、図９に示す如く、ダウンロード若しくはコピーされた音楽コンテンツファイル(51)がＭＭＣに記録されているものの、該音楽コンテンツファイル(51)と一対となるべきライセンスファイル(61)が購入されていない場合がある。この様な場合には、ライセンスファイル(61)が存在しないために、音楽コンテンツファイル(51)の楽曲データに復号化を施すことが出来ず、音楽コンテンツを再生することが出来ない。
【０００９】
上述の如く音楽コンテンツを再生することが出来ないコンテンツ／ライセンスファイル(以下、無効なコンテンツ／ライセンスファイルという)(71)は、ＭＭＣの記録容量を無駄に消費しているので、この様な無効なコンテンツ／ライセンスファイル(71)はＭＭＣから消去することが望ましい。
【００１０】
【発明が解決しようとする課題】
しかしながら、デジタルメモリプレーヤの液晶表示部の表示を利用したファイル消去方法においては、図６に示すリストに基づいて消去対象となる音楽コンテンツの楽曲名の表示が行なわれており、該リストは、再生対象となる音楽コンテンツの楽曲名を表示することを第１目的としたものであって、無効なコンテンツ／ライセンスファイルを含んでいないため、正常なコンテンツ／ライセンスファイルを選択することは可能であるが、無効なコンテンツ／ライセンスファイルを選択することが出来ない。従って、デジタルメモリプレーヤの液晶表示部の表示を利用したファイル消去方法によっては、無効なコンテンツ／ライセンスファイルを消去することが出来ない。
【００１１】
これに対し、デジタルメモリプレーヤに接続したＰＣを利用したファイル消去方法においては、コンテンツ／ライセンスファイルの正常／無効に拘わらず、ＭＭＣに格納されている全てのファイルが画面に表示されるので、無効なコンテンツ／ライセンスファイルの消去が可能であるが、消去の度にデジタルメモリプレーヤをＰＣに接続する必要があり、操作が面倒である問題があった。
そこで本発明の目的は、簡易な操作によって無効なコンテンツ／ライセンスファイルの消去を可能とし、ＭＭＣの記録容量の有効活用を図ることである。
【００１２】
【課題を解決する為の手段】
本発明に係るデジタルメモリプレーヤは、
ファイル検索指令に応じて、記録媒体に記録されている複数のコンテンツ／ライセンスファイルを対象として、一対となる音楽コンテンツファイルとライセンスファイルの内、何れか一方のファイルが欠落し、或いは、少なくとも何れか一方のファイルのデータが破損しているコンテンツ／ライセンスファイルを検索するファイル検索手段と、
検索された１或いは複数のコンテンツ／ライセンスファイルについて、各コンテンツ／ライセンスファイルのファイル情報を含むリストを作成するリスト作成手段と、
作成されたリストを表示するリスト表示手段と、
リスト表示手段に表示されているリストから１或いは複数のコンテンツ／ライセンスファイルを選択するユーザの操作に応じて、選択された１或いは複数のコンテンツ／ライセンスファイルを前記記録媒体から消去するファイル消去手段
とを具えている。
【００１３】
上記本発明のデジタルメモリプレーヤにおいて、ユーザは、記録媒体に記録されている無効なコンテンツ／ライセンスファイルを消去せんとする場合、操作装置を操作して、ファイル探索指令を発する。これに応じて、ファイル検索手段が記録媒体に記録されている無効なコンテンツ／ライセンスファイルを検索する。これによって無効なコンテンツ／ライセンスファイルが発見されると、リスト作成手段が、無効なコンテンツ／ライセンスファイルのファイル情報を含むリストを作成する。作成されたリストはリスト表示手段によって表示される。そこでユーザが、表示されているリストの中から、消去せんとする無効なコンテンツ／ライセンスファイルを選択すると、ファイル消去手段が、選択された無効なコンテンツ／ライセンスファイルを記録媒体から消去する。
【００１４】
具体的構成においては、更に、
外部装置からの音楽コンテンツファイルのダウンロードに応じ、該音楽コンテンツファイルを受信して、記録媒体に記録するファイル記録手段と、
音楽コンテンツファイルのダウンロードに際して、該音楽コンテンツファイルのデータ量に関する情報を外部装置から受信し、該情報に基づいて該音楽コンテンツファイルのデータ量を認識するデータ量認識手段と、
前記認識されたデータ量と記録媒体の空き容量とを比較するデータ量比較手段と、
前記認識されたデータ量が記録媒体の空き容量以下であると判断されたとき、ファイル記録手段に対して、外部装置からダウンロードされる音楽コンテンツファイルの受信及び記録を指令する記録指令手段と、
前記認識されたデータ量が記録媒体の空き容量よりも大きいと判断されたとき、前記ファイル検索手段に対して検索の実行を指令する検索指令手段と、
ファイル消去手段によって１或いは複数のコンテンツ／ライセンスファイルが消去された後に、データ量比較手段に対して比較動作を指令する比較指令手段
とを具えている。
【００１５】
該具体的構成においては、ユーザが、パーソナルコンピュータ等の外部装置からデジタルメモリプレーヤへ音楽コンテンツファイルのデータをダウンロードするための操作を行なうと、先ず、データ量認識手段が該音楽コンテンツファイルのデータ量に関する情報を外部装置から受信し、該情報に基づいて、該音楽コンテンツファイルのデータ量を認識する。続いて、データ量比較手段が、認識されたデータ量とそのときの記録媒体の空き容量とを比較する。そして、認識されたデータ量が記録媒体の空き容量以下であると判断されたときは、記録指令手段に対して、外部装置からダウンロードされる音楽コンテンツファイルの受信及び記録が指令される。
【００１６】
これに対し、認識されたデータ量が記録媒体の空き容量よりも大きいと判断されたときには、検索指令手段からのファイル探索指令に応じて、ファイル検索手段による検索が実行される。これによって無効なコンテンツ／ライセンスファイルが発見されると、リスト作成手段が、無効なコンテンツ／ライセンスファイルのファイル情報を含むリストを作成する。作成されたリストはリスト表示手段によって表示される。そこでユーザが、表示されているリストの中から、消去せんとする無効なコンテンツ／ライセンスファイルを選択すると、ファイル消去手段が、選択された無効なコンテンツ／ライセンスファイルを記録媒体から消去する。この結果、記録媒体の空き容量が増大することになる。
【００１７】
その後、比較指令手段によって、データ量比較手段に対して比較動作が指令され、これに応じて、ダウンロードの対象となっている音楽コンテンツファイルのデータ量と記録媒体の空き容量とが再度比較され、空き容量の増大によってデータ量が空き容量以下となったとき、ダウンロードに応じて該音楽コンテンツファイルの受信及び記録が行なわれることになる。
【００１８】
従って、音楽コンテンツファイルのダウンロード時に記録媒体の空き容量が不足している場合においても、記録媒体に記録されている無効なコンテンツ／ライセンスファイルの消去により、記録媒体の空き容量を増大させて、記録媒体に新たな音楽コンテンツファイルを記録することが出来る。
【００１９】
他の具体的構成において、前記リスト作成手段によって作成されるリストには、前記各コンテンツ／ライセンスファイルについての音楽コンテンツファイルの有無に関する情報とライセンスファイルの有無に関する情報とが含まれている。
【００２０】
該具体的構成によれば、ユーザは、リストの表示に基づいて、無効なコンテンツ／ライセンスファイルについて、その無効の理由が、音楽コンテンツファイルとライセンスファイルの内、少なくとも一方のファイルのデータが破損していることにあるのか、或いは、音楽コンテンツファイルとライセンスファイルの内、一方のファイルが欠落していることにあるのかを認識することが出来る。
従って、ユーザは、無効なコンテンツ／ライセンスファイルの消去に際して、例えばライセンスファイルの購入等、無効の理由を解消するための条件を考慮した上で、無効なコンテンツ／ライセンスファイルを消去するか、残しておくかを決定することが出来る。
【００２１】
【発明の効果】
本発明に係るデジタルメモリプレーヤによれば、ＰＣに接続することなく、簡易な操作で、ユーザは無効なコンテンツ／ライセンスファイルを消去することが出来、これによって記録媒体の空き容量を増大させて、記録媒体の記録容量の有効活用を図ることが出来る。
【００２２】
【発明の実施の形態】
以下、本発明の実施の形態につき、図面に沿って具体的に説明する。
図１に示す如く、本発明に係るデジタルメモリプレーヤ(１)は、記録媒体となるＭＭＣ(８)を装着することによって、該ＭＭＣ(８)にデータを記録し、或いは該ＭＭＣ(８)からデータを読み出すことが可能となっている。又、該デジタルメモリプレーヤ(１)は、ＵＳＢケーブル(31)を介してＰＣ(３)に接続し、或いは、ＲＳ−２３２Ｃケーブル(21)を介して携帯電話機(２)に接続して、ＰＣ(３)や携帯電話機(２)からデータをダウンロードすることが可能となっている。
【００２３】
該デジタルメモリプレーヤ(１)は、所定の制御動作を実行する制御回路(10)と、ＭＭＣ(８)が接続されるべきインターフェース(11)と、制御回路(10)から出力されるデジタルオーディオ信号を処理するデジタルシグナルプロセッサ(以下、ＤＳＰという)(12)と、ＤＳＰ(12)から得られるデジタルオーディオ信号をアナログオーディオ信号に変換するＤ／Ａ変換器(13)と、Ｄ／Ａ変換器(13)から得られるアナログオーディオ信号を増幅してヘッドフォン(４)へ供給するアンプ(14)と、時計機能のためのリアルタイムタイムクロック(15)と、電源スイッチがオフになった後も各種設定値を保存しておくためのＥＥＰＲＯＭ(16)と、各回路に電力を供給するための充電池(17)と、各種の情報を表示するための液晶表示部(19)と、ユーザが各種の指示を入力するための入力装置(18)とを具えている。
【００２４】
制御回路(10)は、ＭＭＣ(８)に記録されているコンテンツ／ライセンスファイルの読出しとＭＭＣ(８)に対するコンテンツ／ライセンスファイルの書込みとを制御する著作権保護機能付のＭＭＣ制御ブロック(10a)と、ＵＳＢケーブル(31)を介してＰＣ(３)との間でデータの送受信を行ない、或いはＲＳ−２３２Ｃケーブル(21)を介して携帯電話機(２)との間でデータの送受信を行なうための送受信ブロック(10b)と、音楽コンテンツファイルの楽曲データを暗号化し或いは復号化するための暗号化／復号化ブロック(10c)と、システム全体を統括制御するシステム制御ブロック(10d)とを具えている。
【００２５】
ＭＭＣ(８)には、複数の音楽コンテンツのそれぞれについて、データが暗号化されている音楽コンテンツファイルと該音楽コンテンツファイルのデータを復号化する際に必要となるライセンスファイルとを一対として、コンテンツ／ライセンスファイルが記録されている。
該ＭＭＣ(８)から所望の音楽コンテンツを再生するべく、該ＭＭＣ(８)をデジタルメモリプレーヤ(１)に装填すると、音楽コンテンツの再生が可能なコンテンツ／ライセンスファイルを対象として図６に示す如く各コンテンツ／ライセンスファイルについてのファイル番号と楽曲名を含むリストが作成される。
【００２６】
ユーザが入力装置(18)を操作して、音楽コンテンツを再生するのための指示を入力すると、図６のリストに基づいて、各音楽コンテンツの楽曲名が液晶表示部(19)に順次表示される。
そこで、再生せんとする音楽コンテンツの楽曲名が表示されている状態で、ユーザが入力装置(18)を操作して該楽曲名を選択すると、この選択操作に応じて、選択された楽曲名に対応するファイル番号が付されたコンテンツ／ライセンスファイルがＭＭＣ(８)から読み出され、読み出されたライセンスファイルのデータを用いて、読み出された音楽コンテンツファイルの楽曲データに復号化が施される。これによって得られたデジタルオーディオ信号はＤＳＰ(12)に供給され、再生に必要なデータ処理が施された後、Ｄ／Ａ変換器(13)を経てアナログオーディオ信号に変換され、アンプ(14)に供給される。アンプ(14)によって増幅されたアナログオーディオ信号はヘッドフォン(４)から音楽コンテンツとして出力される。
【００２７】
音楽コンテンツファイルは、例えばインターネット上の音楽配信サイトからＰＣ(３)や携帯電話機(２)を経てデジタルメモリプレーヤ(１)にダウンロードすることが出来る。
例えばＰＣ(３)を用いたダウンロードにおいては、ＰＣ(３)からＵＳＢケーブル(31)を経てデジタルメモリプレーヤ(１)へ音楽コンテンツファイルがダウンロードされ、該音楽コンテンツファイルの楽曲データは、該デジタルメモリプレーヤ(１)に装着されているＭＭＣ(８)に記録される。
【００２８】
図２は、ＰＣからの音楽コンテンツファイルのダウンロードに応じて、本発明のデジタルメモリプレーヤが該音楽コンテンツファイルを受信してＭＭＣに記録する制御手続きを表わしている。尚、該制御手続きは、ユーザによる入力装置の操作によって、任意のステップで中止が可能となっている。
【００２９】
ユーザがＰＣを操作して、新たな音楽コンテンツファイルをデジタルメモリプレーヤにダウンロードする操作を行なうと、該音楽コンテンツファイルの転送に先立って、ＰＣからデジタルメモリプレーヤへ該音楽コンテンツファイルのデータ量に関する情報が送信される。
これに応じて、デジタルメモリプレーヤにおいては、先ずステップＳ１にて、ＰＣから送信されてくるデータ量に関する情報を受信し、該情報に基づいて、ダウンロードの対象となっている音楽コンテンツファイルのデータ量を認識する。次にステップＳ２では、認識されたデータ量とＭＭＣの空き容量とを比較して、認識されたデータ量がＭＭＣの空き容量よりも小さいかどうかを判断する。
【００３０】
ステップＳ２にて、前記認識されたデータ量が前記空き容量よりも小さい(イエス)と判断されると、ステップＳ１８に移行して、ＰＣからダウンロードされる音楽コンテンツファイルを受信し、該音楽コンテンツファイルをＭＭＣに記録して、手続きを終了する。
【００３１】
一方、ステップＳ２にて前記データ量の大きさが前記空き容量の大きさよりも大きい(ノー)と判断されると、ステップＳ３に移行して、ＭＭＣに記録されている無効なコンテンツ／ライセンスファイルの検索処理の実行を指令する。これによって、ステップＳ４では、ＭＭＣに記録されている無効なコンテンツ／ライセンスファイルの検索処理を実行する。
【００３２】
検索処理においては、先ず、図８に示す如く一対となる音楽コンテンツファイル(51)とライセンスファイル(61)の内、少なくとも一方のファイルのデータが破損しているコンテンツ／ライセンスファイル(71)を検索する。次に、図９に示す如く、一対となる音楽コンテンツファイル(51)とライセンスファイル(61)の内、ライセンスファイル(61)が欠落しているコンテンツ／ライセンスファイル(71)を検索する。最後に、図７に示す如く、一対となる音楽コンテンツファイル(51)とライセンスファイル(71)の内、音楽コンテンツファイル(51)が欠落しているコンテンツ／ライセンスファイル(71)を検索する。
そして、検索によって発見された無効なコンテンツ／ライセンスファイルの総数をｃｎｔとする。
【００３３】
次に、図２のステップＳ５にて、無効なコンテンツ／ライセンスファイルの総数ｃｎｔが０であるか否かを判断し、ファイル総数ｃｎｔが０である(イエス)と判断されたときは、ステップＳ６に移行する。
ステップＳ６においては、ＭＭＣに記録されているコンテンツ／ライセンスファイルの内、一対となる音楽コンテンツファイルとライセンスファイルの両方が正常に記録されているコンテンツ／ライセンスファイルを抽出して、図６に示す如く各コンテンツ／ライセンスファイルについてファイル番号とファイル名を含む再生リストを作成する。
【００３４】
その後、図２のステップＳ７に移行して、入力装置によるユーザの表示操作に応じて、リスト中の楽曲名を液晶表示部に順次表示する。そこでユーザが、消去せんとする音楽コンテンツの楽曲名が表示されている状態で、入力装置を操作して該楽曲名を選択すると、ステップＳ８に移行して、選択された楽曲名をリストから消去すると共に、選択された楽曲名のコンテンツ／ライセンスファイルをＭＭＣから消去する。
続いてステップＳ９にて、ダウンロードの対象となっている音楽コンテンツファイルのデータ量とそのときのＭＭＣの空き容量とを比較して、該データ量が該空き容量よりも小さいかどうかを判断する。ここで、該データ量が該空き容量よりも大きい(ノー)と判断されると、ステップＳ７に戻って、楽曲名の表示及びファイルの消去を繰り返す。これによって、ステップＳ９にて、前記データ量が前記空き容量よりも小さい(イエス)と判断されると、ステップＳ１８に移行して、ＰＣからダウンロードされる音楽コンテンツファイルを受信し、該音楽コンテンツファイルをＭＭＣに記録して、手続きを終了する。
【００３５】
一方、ステップＳ５にて、ファイル総数ｃｎｔが０ではない(ノー)と判断されると、ステップＳ１０に移行して、無効なコンテンツ／ライセンスファイルについてファイル情報のリストを作成する。
該リストには、図３に示す如く、検索された順に無効なコンテンツ／ライセンスファイルのそれぞれについて、ファイル番号、楽曲名情報、音楽コンテンツファイルの有無に関する情報、並びにライセンスファイルの有無に関する情報が含まれている。
【００３６】
次に図２のステップＳ１１では、ファイル番号ｎ(初期値：１)とファイルの総数ｃｎｔとを比較し、ファイル番号ｎがファイル総数ｃｎｔ以下であるかどうかを判断する。ここで、ファイル番号ｎがファイル総数ｃｎｔ以下である(イエス)と判断されると、ステップＳ１２に移行して、ファイル番号ｎが付された無効なコンテンツ／ライセンスファイルのファイル情報を液晶表示部に表示する。
【００３７】
図４(ａ)(ｂ)(ｃ)は、液晶表示部におけるファイル情報の表示例を表わしている。
図４(ａ)の例では、ファイル番号ｎ、楽曲名“ＡＡＡ”、音楽コンテンツファイルが存在する旨の情報Ｃ、並びにライセンスファイルが存在する旨の情報Ｌが表示されている。この表示によって、ユーザは、一対となる音楽コンテンツファイルとライセンスファイルはＭＭＣに記録されているが、少なくとも一方のファイルのデータが破損しているために、当該コンテンツ／ライセンスファイルが無効になっていることを認識することが出来る。
図４(ｂ)の例では、ファイル番号ｎ、楽曲名“Ｄｄｄ”、音楽コンテンツファイルが存在する旨の情報Ｃ、並びにライセンスファイルが存在しない旨の情報(ブランク)が表示されている。この表示によって、ユーザは、一対となる音楽コンテンツファイルとライセンスファイルの内、ライセンスファイルが欠落しているために、当該コンテンツ／ライセンスファイルが無効になっていることを認識することが出来る。
更に図４(ｃ)の例では、ファイル番号ｎ、楽曲名“ＢＢｂ”、音楽コンテンツファイルが存在しない旨の情報(ブランク)、並びにライセンスファイルが存在する旨の情報Ｌが表示されている。この表示によって、ユーザは、一対となる音楽コンテンツファイルとライセンスファイルの内、音楽コンテンツファイルが欠落しているために、当該コンテンツ／ライセンスファイルが無効になっていることを認識することが出来る。
【００３８】
上述の如くファイル番号ｎのファイル情報を表示した後、図２のステップＳ１３に移行し、ユーザが入力装置を操作して、ファイル番号ｎの無効なコンテンツ／ライセンスファイルの消去を指令したか否かを判断する。
ここでノーと判断されたときは、ステップＳ１４に移行して、ファイル番号ｎに１を加算した後、ステップＳ１１に戻ってファイル番号ｎとファイル総数ｃｎｔの比較を繰り返す。この結果、ステップＳ１１にて、ファイル番号ｎがファイル総数ｃｎｔよりも大きい(ノー)と判断されると、ステップＳ６に移行して、再生リストを作成し、ファイルの消去を実行する。
【００３９】
ステップＳ１３にてユーザが無効なコンテンツ／ライセンスファイルの消去を指令した(イエス)と判断されたときは、ステップＳ１５に移行して、該無効なコンテンツ／ライセンスファイルを消去する処理を実行する。
その後、ステップＳ１６では、ダウンロードの対象となっているコンテンツファイルのデータ量とＭＭＣの空き容量の比較を指令する。これによって、ステップＳ１７では該データ量と該空き容量とを比較して、該データ量が該空き容量よりも小さいかどうかを判断する。ここで、該データ量が該空き容量以上である(ノー)と判断されたときは、ステップＳ１４に移行して、ファイル番号ｎに１を加算した後、ステップＳ１１に戻ってファイル番号ｎとファイル総数ｃｎｔの比較を繰り返す。
ステップＳ１７にて、前記データ量が前記空き容量よりも小さい(イエス)と判断されたときは、ステップＳ１８に移行して、ＰＣからダウンロードされる音楽コンテンツファイルを受信し、該音楽コンテンツファイルをＭＭＣに記録して、手続きを終了する。
【００４０】
上記制御手続きによれば、ＭＭＣに記録せんとするコンテンツ／ライセンスファイルのデータ量よりもＭＭＣの空き容量が小さい場合には、先ず、ＭＭＣに記録されている無効なコンテンツ／ライセンスファイルの内、任意のコンテンツライセンスを消去することが出来、次に、一対となる音楽コンテンツファイルとライセンスファイルの両方が記録されている正常なコンテンツ／ライセンスファイルの内、任意のコンテンツ／ライセンスを消去することが出来る。
従って、ユーザは、無効なコンテンツ／ライセンスファイルの消去に際して、デジタルメモリプレーヤをＰＣに接続する必要はなく、消去操作は簡易である。
【００４１】
又、無効なコンテンツ／ライセンスファイルの消去においては、液晶表示部に、無効なコンテンツ／ライセンスファイルの楽曲名と、音楽コンテンツファイルの有無に関する情報と、ライセンスファイルの有無に関する情報とが表示されるので、ユーザは、無効なコンテンツ／ライセンスファイルの消去に際して、例えばライセンスファイルの購入等、無効の理由を解消するための条件を考慮した上で、無効なコンテンツ／ライセンスファイルを消去するか、残しておくかを決定することが出来る。
【図面の簡単な説明】
【図１】本発明に係るデジタルメモリプレーヤの構成を示すブロック図である。
【図２】該デジタルメモリプレーヤの制御手続きを示すフローチャートである。
【図３】該制御手続きのファイル検索処理において作成されるリストを表わす図である。
【図４】前記リストに含まれるファイル情報の表示例を示す図である。
【図５】音楽コンテンツの再生が可能なコンテンツ／ライセンスファイルの構成を説明する図である。
【図６】該コンテンツ／ライセンスファイルに含まれる楽曲名のリストを表わす図である。
【図７】音楽コンテンツファイルが欠落している無効なコンテンツ／ライセンスファイルの構成を説明する図である。
【図８】音楽コンテンツファイルとライセンスファイルの少なくとも何れか一方のファイルのデータが破損している無効なコンテンツ／ライセンスファイルの構成を説明する図である。
【図９】ライセンスファイルが欠落している無効なコンテンツ／ライセンスファイルの構成を説明する図である。
【符号の説明】
(１)  デジタルメモリプレーヤ
(10)  制御回路
(２)  携帯電話機
(３)  ＰＣ
(８)  ＭＭＣ
【図１】
0004201510.tif 000002
【図２】
0004201510.tif 000003
【図３】
0004201510.tif 000004
【図４】
0004201510.tif 000005
【図５】
0004201510.tif 000006
【図６】
0004201510.tif 000007
【図７】
0004201510.tif 000008
【図８】
0004201510.tif 000009
【図９】
0004201510.tif 000010